(57)【要約】【課題】多接合型太陽電池の分光感度特性を測定する際に、精度よく分光感度特性の測定を行なうことが可能な分光感度測定方法を提供する。【解決手段】多接合型太陽電池セル１０の分光感度測定方法は、白色バイアス光源３４を多接合型太陽電池セルに照射するステップと、白色バイアス光源の照射によって各サブセルに発生する電流について、複数のサブセルの分光感度にそれぞれ対応して設けられ、各々が照度調整可能な複数の第１の単色光光源３２のうちの少なくとも１つの第１の単色光光源の照度を調整することにより各サブセルに発生する電流を整合するステップと、複数のサブセルのうちの測定対象となるサブセルに対応する第１の単色光光源の照度を低減させるステップと、第２の単色光光源３６からの単色光の波長を走査して、測定対象となるサブセルの分光感度特性を測定するステップとを含む。【選択図】図１
2013089632.tif 000002
【特許請求の範囲】
【請求項１】
多接合型太陽電池セルの分光感度測定方法であって、
白色バイアス光源を前記多接合型太陽電池セルに照射するステップと、
前記白色バイアス光源の照射によって各前記サブセルに発生する電流について、前記複数のサブセルの分光感度にそれぞれ対応して設けられ、各々が照度調整可能な複数の第１の単色光光源のうちの少なくとも１つの第１の単色光光源の照度を調整することにより前記各サブセルに発生する電流を整合するステップと、
前記複数の第１の単色光光源のうち、前記複数のサブセルのうちの測定対象となるサブセルに対応する第１の単色光光源の照度を低減させるステップと、
所定の波長範囲で波長を走査可能な第２の単色光光源からの単色光の波長を走査して、前記測定対象となるサブセルの分光感度特性を測定するステップとを備える、分光感度測定方法。
【請求項２】
前記整合するステップは、前記複数のサブセルのうち発生する電流が最も大きいサブセルの発生電流と、残余のサブセルの発生電流とを整合する、請求項１記載の分光感度測定方法。
【請求項３】
前記低減させるステップは、前記測定対象となる前記サブセルに前記第２の単色光光源からの単色光を所定の波長範囲で走査して照射した場合に発生する電流のピーク値に基づいて、前記測定対象となるサブセルに対応する前記第１の単色光光源の照度を低減させる、請求項１または請求項２記載の分光感度測定方法。
【請求項４】
前記測定するステップは、前記第２の単色光光源からの単色光を所定の波長範囲にて走査し、前記多接合型太陽電池セルに直列に接続された抵抗の両端の電圧を測定する、請求項１〜３のいずれか１項に記載の分光感度測定方法。
【請求項５】
多接合型太陽電池セルの分光感度測定装置であって、
前記多接合型太陽電池セルに照射するための白色バイアス光源と、
前記複数のサブセルの分光感度にそれぞれ対応して設けられ、各々が照度調整可能な複数の第１の単色光光源と、
所定の波長範囲で波長を走査可能な第２の単色光光源と、
前記白色バイアス光源と、前記複数の第１の単色光光源と、前記第２の単色光光源とを制御する制御手段とを備え、
前記制御手段は、
前記白色バイアス光源を前記多接合型太陽電池セルに照射し、
前記白色バイアス光源の照射によって各前記サブセルに発生する電流について、前記複数の第１の単色光光源のうちの少なくとも１つの第１の単色光光源の照度を調整することにより前記各サブセルに発生する電流を整合させ、
前記複数の第１の単色光光源のうち、前記複数のサブセルのうちの測定対象となるサブセルに対応する第１の単色光光源の照度を低減させ、
所定の波長範囲で波長を走査可能な第２の単色光光源からの単色光の波長を走査して、前記測定対象となるサブセルの分光感度特性を測定する、分光感度測定装置。
【請求項６】
前記制御手段は、
測定対象である多接合型太陽電池セルに照射される前記第２の単色光光源からの単色光をチョッピングして通過させるチョッパーと、
前記多接合型太陽電池セルに直列接続された抵抗と、
前記チョッパーからの同期信号に応答して、前記抵抗に印加される電圧を増幅するロックインアンプとを備える、請求項５に記載の分光感度測定装置。
【請求項７】
前記チョッパーは、第２の単色光光源からの単色光をチョッピングして通過させる、第１の通過区間と第２の通過区間とを有し、前記第１の通過区間は前記第２の通過区間と区間幅が異なる、請求項６に記載の分光感度測定装置。
【請求項８】
前記白色バイアス光源は、照射強度が１ｓuｎ以上である請求項５〜７のいずれか１項に記載の分光感度測定装置。
【請求項９】
前記第２の単色光光源のセル表面における照射領域は、前記複数の第１の単色光光源の照射領域内に存在する請求項第５〜８のいずれか１項に記載の分光感度測定装置。
【請求項１０】
前記複数の第１の単色光光源の個数は３つであり、かつ３つの前記第１の単色光光源のそれぞれの波長範囲は、３００〜５００ｎｍ、６６０〜８２０ｎｍおよび９００〜１８００ｎｍである請求項５〜９のいずれか１項に記載の分光感度測定装置。
【請求項１１】
前記複数の第１の単色光光源の個数は３つであり、かつ３つの前記第１の単色光光源のそれぞれの波長範囲は、３００〜４００ｎｍ、６８０〜７４０ｎｍおよび９２０〜１０００ｎｍである請求項５〜９のいずれか１項に記載の分光感度測定装置。
【請求項１２】
多接合型太陽電池セルの分光感度測定装置の制御プログラムであって、
白色バイアス光源を前記多接合型太陽電池セルに照射するステップと、
前記白色バイアス光源の照射によって各前記サブセルに発生する電流について、前記複数のサブセルの分光感度にそれぞれ対応して設けられ、各々が照度調整可能な複数の第１の単色光光源のうちの少なくとも１つの第１の単色光光源の照度を調整することにより前記各サブセルに発生する電流を整合するステップと、
前記複数の第１の単色光光源のうち、前記複数のサブセルのうちの測定対象となるサブセルに対応する第１の単色光光源の照度を低減させるステップと、
所定の波長範囲で波長を走査可能な第２の単色光光源からの単色光の波長を走査して、前記測定対象となるサブセルの分光感度特性を測定するステップとを、コンピュータに実行させる分光感度測定装置の制御プログラム。
【請求項１３】
多接合型太陽電池セルの分光感度測定方法であって、
白色バイアス光源を前記多接合型太陽電池セルに照射するステップと、
前記白色バイアス光源の照射によって各前記サブセルに発生する電流について、前記複数のサブセルのうち、前記白色バイアス光源を照射した際に発生する電流が最も大きいサブセルを測定対象として前記測定対象となるサブセルの分光感度を測定するときに、前記測定対象となるサブセル以外の残余のサブセルの分光感度にそれぞれ対応して設けられ、各々が照度調整可能な複数の第１の単色光光源のうちの少なくとも１つの第１の単色光光源の照度を調整することにより、前記残余のサブセルの発生電流が前記測定対象となるサブセルの発生電流よりも所定量だけ増加するように調整するステップと、
所定の波長範囲で波長を走査可能な第２の単色光光源からの単色光の波長を走査して、前記測定対象となるサブセルの分光感度特性を測定するステップとを備える、分光感度測定方法。
【請求項１４】
多接合型太陽電池セルの分光感度測定装置であって、
前記多接合型太陽電池セルに照射するための白色バイアス光源と、
前記白色バイアス光源の照射によって各前記サブセルに発生する電流について、前記複数のサブセルのうち、前記白色バイアス光源を照射した際に発生する電流が最も大きいサブセルを測定対象として前記測定対象となるサブセルの分光感度を測定するときに、前記測定対象となるサブセル以外の残余のサブセルの分光感度にそれぞれ対応して設けられ、各々が照度調整可能な複数の第１の単色光光源と、
所定の波長範囲で波長を走査可能な第２の単色光光源と、
前記白色バイアス光源と、前記第１の単色光光源と、前記第２の単色光光源とを制御する制御手段とを備え、
前記制御手段は、
前記白色バイアス光源を前記多接合型太陽電池セルに照射し、
前記複数の第１の単色光光源のうちの少なくとも１つの第１の単色光光源の照度を調整することにより、前記残余のサブセルに発生する電流が前記測定対象となるサブセルに発生する電流よりも所定量だけ増加するように調整し、
前記第２の単色光光源からの単色光の波長を走査して、前記測定対象となるサブセルの分光感度特性を測定する、分光感度測定装置。
【請求項１５】
多接合型太陽電池セルの分光感度測定装置の制御プログラムであって、
白色バイアス光源を前記多接合型太陽電池セルに照射するステップと、
前記白色バイアス光源の照射に従って各前記サブセルに発生する電流について、前記複数のサブセルのうち、前記白色バイアス光源を照射した際に発生する電流が最も大きいサブセルを測定対象として前記測定対象となるサブセルの分光感度を測定するときに、前記測定対象となるサブセル以外の残余のサブセルの分光感度にそれぞれ対応して設けられ、各々が照度調整可能な複数の第１の単色光光源のうちの少なくとも１つの第１の単色光光源の照度を調整することにより、前記残余のサブセルに発生する電流が前記測定対象となるサブセルに発生する電流よりも所定量だけ増加するように調整するステップと、
所定の波長範囲で波長を走査可能な第２の単色光光源からの単色光の波長を走査して、前記測定対象となるサブセルの分光感度特性を測定するステップとを、コンピュータに実行させる分光感度測定装置の制御プログラム。
【発明の詳細な説明】
【技術分野】
【０００１】
本発明は、太陽電池の分光感度測定方法、分光感度測定装置およびその制御プログラムに関する。
【背景技術】
【０００２】
太陽電池セル（以下、セルと称す）を評価するためには、分光感度特性ｑ（λ）を知ることが重要となる。セルの分光感度特性ｑ（λ）とは、セルの性能を示す基本的な特性の一つであり短絡電流値の入射光に対する波長依存性である。具体的には、狭い波長区間の入射単色光照度Ｅｉｎ（λ）に対する単位面積あたりのセルの短絡電流値Ｊｓｃ（λ）を示す次式（１）を用いて算出され、Ａ／Ｗ（アンペア／ワット）の単位で表わされる。
【０００３】
ｑ（λ）＝  Ｊｓｃ（λ）／Ｅｉｎ（λ）…（１）
図１９は、従来技術における一般的な太陽電池の分光感度測定装置の構成の一例を示す図である。
【０００４】
図１９を参照して、セルの分光感度特性は、セルを短絡して暗状態に置き、異なる波長の単色光を一定照度でセルに照射し、当該波長に対応して発生する電流を測定することによって得られる。セルは標準温度（２５℃）に設定され、モノクロメータから得られる単色光の照度は、通常１０ｎｍの間隔で数１０μＷ／ｃｍ２である。しかし、実際の太陽電池は、当該単色光の照度と比較して極めて高い照度の白色光である太陽光の下で使用されるため、その分光感度特性は、暗状態下で得られる分光感度特性とは異なる。したがって、太陽光下での実使用状態に近づけるために、後述する白色バイアス光照射と、微小な応答信号を測定するためのロックインアンプを用いた測定が行われている。具体的には、セルには一定照度の擬似太陽光（白色バイアス光：たとえばＡＭ１．５のスペクトルを有し、同範囲における積算照度：１００ｍＷ／ｃｍ２）を照射し、単色光光源から照射された単色光を所定の周期で通過させるチョッパーを用いてパルス状態にして白色バイアス光に重畳し、応答信号はセルに直列に接続された微小抵抗Ｒの両端の出力電圧として、チョッパーの同期信号を使ったロックインアンプを用いて測定される。
【０００５】
図２０は、白色バイアス光の有無によってシリコン太陽電池セルの分光感度が異なることを示す分光感度特性図である。
【０００６】
図２０を参照すると、図１９のような装置構成を用いて裏面に酸化膜を形成したシリコン太陽電池セルの分光感度を測定したときには、白色バイアス光が照射されている場合と、白色バイアス光が照射されておらず単色光のみが照射されている場合の分光感度が異なっていることがわかる。すなわち、白色バイアス光が照射されている場合の方が分光感度が向上しており、感度帯域が広くなっている。これは、白色バイアス光の照射によって光生成された少数キャリアの濃度が多数キャリアの濃度を上回る、いわゆる高注入状態となり、当該少数キャリアがセル裏面のシリコンとシリコン酸化膜の界面に存在する再結合中心を埋める役割を果たしていることを示している。セルが実際に太陽光下で動作するのはこのような状態であるため、セルの分光感度特性を精査するためには白色バイアス光を照射する必要がある。
【０００７】
ところで、近年は太陽電池の高効率化の研究が進み、禁制帯幅が異なる複数の半導体材料のｐｎ接合を、同一基板上に禁制帯幅が大きいものから順に光が入射する方向に縦積みし、両端に出力端子を設けることで、光電変換可能な波長範囲の拡大と高電圧化を図ったモノリシック２端子多接合型太陽電池セル（以下、多接合セルと称す）が開発されている。例えば、禁制帯幅が約１．９ｅＶであるＧａＩｎＰトップセル（以下、トップセルとも称す）、禁制帯幅が約１．４３ｅＶであるＧａＡｓミドルセル（以下、ミドルセルとも称す）、禁制帯幅が約０．７２ｅＶであるＧｅボトムセル（以下、ボトムセルとも称す）からなる３つのサブセルをＧｅ基板上にエピタキシャル成長技術で形成した宇宙用３接合型太陽電池セルは、変換効率が２７％以上という、従来の単接合型セルでは実現できなかった高い変換効率を現出するに至っている。このような多接合セルの分光感度の測定はサブセルごとに行われるが、感度帯域の異なる複数のセルを内部に直列接続した２端子の構造のため、いくつかの留意点がある。
【０００８】
まず第１に、通常動作時は複数のサブセルのうち、最も発生電流の小さいサブセルの発生電流がセル全体の出力電流（回路に流れる電流）となるが、分光感度測定時には測定対象のサブセルの発生電流の変化がセル全体の出力電流の変化として観測できるように（すなわち、測定対象のサブセルの発生電流がセル全体の出力電流を支配するように）、残余のサブセルの発生電流が測定対象のサブセルの発生電流よりも大きくなるような状態にする必要がある。
【０００９】
第２に、一般的に発生電流が異なる複数のセルを直列に接続し短絡動作させた場合、最も発生電流が小さいサブセル（セル全体の出力電流を支配するサブセル）に残余のサブセルの発生電圧（起電圧）が逆方向に印加される。したがって、上記で説明した状態にすると測定対象のサブセルには当該逆バイアス電圧が印加されてしまうため、当該逆バイアス電圧をキャンセルするための電気バイアスを外部から印加する必要がある。
【００１０】
上記の留意点を考慮して、一応の解決策を与えた多接合太陽電池の分光感度測定方法が、日本工業規格ＪＩＳＣ−８９４４：「多接合太陽電池分光感度特性測定方法」（非特許文献）に開示されている。
【００１１】
非特許文献には、上述した分光感度測定時の状態を得るために、測定対象以外の残余のサブセルが動作状態になるよう、当該残余のサブセルの感度帯域波長に相当する分光分布を有するカラーバイアス光を照射する。単色光の照度は２０μＷ／ｃｍ２以上であり、カラーバイアス光の照度は、測定対象となるサブセルの発生電流が当該残余のサブセルのそれよりも小さくなるように調整される。また、電気バイアスについては、当該残余のサブセルの開放電圧Ｖｏｃｉ及び最大出力電圧Ｖｍｐｐｉを推定し、その和の平均値または開放電圧の和をＶｂｉａｓとし、これをセルに印加する、と開示されている。
【００１２】
たとえば、上記のＧａＩｎＰ／ＧａＡｓ／Ｇｅ３接合セルを測定対象として、非特許文献に開示された測定方法に基づいて発明者らが行なった、従来技術における分光感度測定の一例を以下に説明する。
【００１３】
図２１は、従来技術における多接合型太陽電池の分光感度測定装置の構成の一例を示す図である。
【００１４】
図２１を参照すると、本構成は図１９で説明した構成と比較して、白色バイアス光がカラーバイアス光となり、多接合セルと並列に電気バイアス回路と直流電圧計を追加した点が異なる。
【００１５】
図２２はＧａＩｎＰ／ＧａＡｓ／Ｇｅからなる３接合セルの典型的な分光感度特性とカラーバイアス光の波長範囲の一例を示す図である。
【００１６】
図２２を参照して、３００〜６５０ｎｍの光に感度を有するＧａＩｎＰトップセルの分光感度測定時は、波長６５０ｎｍ以上の光のみ透過するフィルターＦ１を白色バイアス光の前に設置する。このとき、多接合セル端で観測される出力電圧Ｖｆ１が動作しているミドルセル、ボトムセルの発生電圧の和であり、当該Ｖｆ１が測定対象であるトップセルに逆方向に印加されるため、当該Ｖｆ１をキャンセルするための電気バイアスであるＶｂｉａｓ＝Ｖｆ１をセル全体に印加する。この状態で、測定波長範囲の単色光をチョッパーを介してパルス状態で照射し、応答信号は多接合セルに直列に接続された微小抵抗両端の出力電圧として、チョッパーの同期信号を用いたロックインアンプで測定する。これにより、ＧａＩｎＰトップセルの分光感度特性が得られる。
【００１７】
次に、４００〜９００ｎｍの光に感度帯域を有するＧａＡｓミドルセル分光感度測定時は、波長６５０ｎｍ以下の光と、８４０ｎｍ以上の光のみを透過するフィルターＦ２を白色バイアス光の前に設置する。このとき、多接合セル端で観測される出力電圧Ｖｆ２が動作しているトップセル、ボトムセルの発生電圧の和であり、当該Ｖｆ２が測定対象であるミドルセルに逆方向に印加されるため、当該Ｖｆ２をキャンセルするための電気バイアスであるＶｂｉａｓ＝Ｖｆ２を多接合セル全体に印加する。この状態で、上記のトップセル時と同様に信号光である単色光をチョッパーを介してパルス状で照射し、微小抵抗両端の出力電圧をロックインアンプで測定する。これにより、ＧａＡｓミドルセルの分光感度特性が得られる。
【００１８】
さらに、８４０〜１９００ｎｍの光に感度を有するＧｅボトルセル分光感度測定時は、波長９００ｎｍ以下の光のみ透過するフィルターＦ３を白色バイアス光の前に設置する。このとき、多接合セル端で観測される出力電圧Ｖｆ３が動作しているトップセル、ミドルセルの発生電圧の和であり、当該Ｖｆ３が測定対象であるボトムセルに逆方向に印加されるため、当該Ｖｆ３をキャンセルするために電気バイアスであるＶｂｉａｓ＝Ｖｆ３を多接合セル全体に印加する。この状態で、上記のトップセル時と同様に微小抵抗両端の出力電圧をロックインアンプで測定する。これにより、Ｇｅボトムセルの分光感度特性が得られる。
【先行技術文献】
【非特許文献】
【００１９】
【非特許文献１】日本工業規格ＪＩＳＣ−８９４４：「多接合太陽電池分光感度特性測定方法」
【発明の概要】
【発明が解決しようとする課題】
【００２０】
しかしながら、上記の従来の測定方式によると、分光感度測定時には測定対象のサブセルの感度帯域波長を有するカラーバイアス光が照射されていないので、少数キャリアの高注入状態が達成されない。したがって、実際の太陽光下に近似した動作状態における測定対象セルの測定を精度良く行なうことができなかった。なぜなら、上記の非特許文献には、「測定対象の要素セル（サブセル）の短絡電流が最小となるよう、カラーバイアス光の分光放射照度を調整する。測定対象の要素セルを通常の使用条件と同等の放射照度で照射し、他の要素セルはそれよりも強い照度で照射することが望ましい」と記載されてはいるが、サブセルと同じ数だけの、通常の使用条件と同等およびそれより強い放射照度を有する光源を準備することが、設置スペースやコストなどの制約上から実際には困難であることに起因する。
【００２１】
また、発明者らが行なった、従来技術における分光感度測定では、測定対象のサブセルに印加される電気バイアス値が適切でないことが判明した。たとえば、ＧａＩｎＰトップセルの分光感度測定時の室温におけるＶｆ１の典型的な測定値は２．４３Ｖであった。この値はＧａＡｓミドルセル、Ｇｅボトムセルで推定される出力電圧の和：約１．４Ｖより明らかに大きく、この値を印加することが適切でないと判断された。原因としては、フィルターＦ１のカットオフ波長をはずれた６５０〜６８０ｎｍの光によってトップセルが動作し、トップセルによる出力電圧が発生したためであると考えられ、同様の現象がミドルセル、ボトムセル測定時にも確認された。すなわち、実際の各サブセルの感度帯域波長が少しでも重なっている限り、フィルタで波長を完全に分離できないことから、上記の非特許文献に記載されている「測定対象外のすべての要素セルの開放電圧」を測定条件下で正確に測定できない。したがって、測定対象セルを短絡条件にすることが事実上不可能であり、従来技術では正確な分光感度の測定が困難であった。
【００２２】
本発明は、上記の問題点を解決するためになされたものであって、多接合型太陽電池の分光感度特性を測定する際に、精度よく分光感度特性の測定を行なうことが可能な分光感度測定方法、分光感度測定装置およびその制御プログラムを提供することを目的とする。
【課題を解決するための手段】
【００２３】
本発明によると、多接合型太陽電池セルの分光感度測定方法が提供される。分光感度測定方法は、白色バイアス光源を多接合型太陽電池セルに照射するステップと、白色バイアス光源の照射によって各サブセルに発生する電流について、複数のサブセルの分光感度にそれぞれ対応して設けられ、各々が照度調整可能な複数の第１の単色光光源のうちの少なくとも１つの第１の単色光光源の照度を調整することにより各サブセルに発生する電流を整合するステップと、複数の第１の単色光光源のうち、複数のサブセルのうちの測定対象となるサブセルに対応する第１の単色光光源の照度を低減させるステップと、所定の波長範囲で波長を走査可能な第２の単色光光源からの単色光の波長を走査して、測定対象となるサブセルの分光感度特性を測定するステップとを含む。
【００２４】
好ましくは、整合するステップは、複数のサブセルのうち発生する電流が最も大きいサブセルの発生電流と、残余のサブセルの発生電流とを整合する。
【００２５】
好ましくは、低減させるステップは、測定対象となるサブセルに第２の単色光光源からの単色光を所定の波長範囲で走査して照射した場合に発生する電流のピーク値に基づいて、測定対象となるサブセルに対応する第１の単色光光源の照度を低減させる。
【００２６】
好ましくは、測定するステップは、第２の単色光光源からの単色光を所定の波長範囲にて走査し、多接合型太陽電池セルに直列に接続された抵抗の両端の電圧を測定する。
【００２７】
本発明の別の局面に従うと、多接合型太陽電池セルの分光感度測定装置が提供される。分光感度測定装置は、多接合型太陽電池セルに照射するための白色バイアス光源と、複数のサブセルの分光感度にそれぞれ対応して設けられ、各々が照度調整可能な複数の第１の単色光光源と、所定の波長範囲で波長を走査可能な第２の単色光光源と、白色バイアス光源と、複数の第１の単色光光源と、第２の単色光光源とを制御する制御手段とを含む。制御手段は、白色バイアス光源を多接合型太陽電池セルに照射し、白色バイアス光源の照射によって各サブセルに発生する電流について、複数の第１の単色光光源のうちの少なくとも１つの第１の単色光光源の照度を調整することにより各サブセルに発生する電流を整合させ、複数の第１の単色光光源のうち、複数のサブセルのうちの測定対象となるサブセルに対応する第１の単色光光源の照度を低減させ、所定の波長範囲で波長を走査可能な第２の単色光光源からの単色光の波長を走査して、測定対象となるサブセルの分光感度特性を測定する。
【００２８】
好ましくは、制御手段は、測定対象である多接合型太陽電池セルに照射される第２の単色光光源からの単色光をチョッピングして通過させるチョッパーと、多接合型太陽電池セルに直列接続された抵抗と、チョッパーからの同期信号に応答して、抵抗に印加される電圧を増幅するロックインアンプとを含む。
【００２９】
好ましくは、チョッパーは、第２の単色光光源からの単色光をチョッピングして通過させる、第１の通過区間と第２の通過区間とを有し、第１の通過区間は第２の通過区間と区間幅が異なる。
【００３０】
好ましくは、白色バイアス光源は、照射強度が１ｓuｎ以上である。
好ましくは、第２の単色光光源のセル表面における照射領域は、複数の第１の単色光光源の照射領域内に存在する。
【００３１】
好ましくは、複数の第１の単色光光源の個数は３つであり、かつ３つの第１の単色光光源のそれぞれの波長範囲は、３００〜５００ｎｍ、６６０〜８２０ｎｍおよび９００〜１８００ｎｍである。
【００３２】
好ましくは、複数の第１の単色光光源の個数は３つであり、かつ３つの第１の単色光光源のそれぞれの波長範囲は、３００〜４００ｎｍ、６８０〜７４０ｎｍおよび９２０〜１０００ｎｍである。
【００３３】
本発明のさらに別の局面に従うと、多接合型太陽電池セルの分光感度測定装置の制御プログラムが提供される。分光感度測定装置の制御プログラムは、白色バイアス光源を多接合型太陽電池セルに照射するステップと、白色バイアス光源の照射によって各サブセルに発生する電流について、複数のサブセルの分光感度にそれぞれ対応して設けられ、各々が照度調整可能な複数の第１の単色光光源のうちの少なくとも１つの第１の単色光光源の照度を調整することにより各サブセルに発生する電流を整合するステップと、複数の第１の単色光光源のうち、複数のサブセルのうちの測定対象となるサブセルに対応する第１の単色光光源の照度を低減させるステップと、所定の波長範囲で波長を走査可能な第２の単色光光源からの単色光の波長を走査して、測定対象となるサブセルの分光感度特性を測定するステップとを、コンピュータに実行させる。
【００３４】
本発明のさらに別の局面に従うと、多接合型太陽電池セルの分光感度測定方法が提供される。分光感度測定方法は、白色バイアス光源を多接合型太陽電池セルに照射するステップと、白色バイアス光源の照射によって各サブセルに発生する電流について、複数のサブセルのうち、白色バイアス光源を照射した際に発生する電流が最も大きいサブセルを測定対象として測定対象となるサブセルの分光感度を測定するときに、測定対象となるサブセル以外の残余のサブセルの分光感度にそれぞれ対応して設けられ、各々が照度調整可能な複数の第１の単色光光源のうちの少なくとも１つの第１の単色光光源の照度を調整することにより、残余のサブセルの発生電流が測定対象となるサブセルの発生電流よりも所定量だけ増加するように調整するステップと、所定の波長範囲で波長を走査可能な第２の単色光光源からの単色光の波長を走査して、測定対象となるサブセルの分光感度特性を測定するステップとを含む。
【００３５】
本発明のさらに別の局面に従うと、多接合型太陽電池セルの分光感度測定装置が提供される。分光感度測定装置は、多接合型太陽電池セルに照射するための白色バイアス光源と、白色バイアス光源の照射によって各サブセルに発生する電流について、複数のサブセルのうち、白色バイアス光源を照射した際に発生する電流が最も大きいサブセルを測定対象として測定対象となるサブセルの分光感度を測定するときに、測定対象となるサブセル以外の残余のサブセルの分光感度にそれぞれ対応して設けられ、各々が照度調整可能な複数の第１の単色光光源と、所定の波長範囲で波長を走査可能な第２の単色光光源と、白色バイアス光源と、第１の単色光光源と、第２の単色光光源とを制御する制御手段とを含む。制御手段は、白色バイアス光源を多接合型太陽電池セルに照射し、複数の第１の単色光光源のうちの少なくとも１つの第１の単色光光源の照度を調整することにより、残余のサブセルに発生する電流が測定対象となるサブセルに発生する電流よりも所定量だけ増加するように調整し、第２の単色光光源からの単色光の波長を走査して、測定対象となるサブセルの分光感度特性を測定する。
【００３６】
本発明のさらに別の局面に従うと、多接合型太陽電池セルの分光感度測定装置の制御プログラムが提供される。分光感度測定装置の制御プログラムは、白色バイアス光源を多接合型太陽電池セルに照射するステップと、白色バイアス光源の照射に従って各サブセルに発生する電流について、複数のサブセルのうち、白色バイアス光源を照射した際に発生する電流が最も大きいサブセルを測定対象として測定対象となるサブセルの分光感度を測定するときに、測定対象となるサブセル以外の残余のサブセルの分光感度にそれぞれ対応して設けられ、各々が照度調整可能な複数の第１の単色光光源のうちの少なくとも１つの第１の単色光光源の照度を調整することにより、残余のサブセルに発生する電流が測定対象となるサブセルに発生する電流よりも所定量だけ増加するように調整するステップと、所定の波長範囲で波長を走査可能な第２の単色光光源からの単色光の波長を走査して、測定対象となるサブセルの分光感度特性を測定するステップとを、コンピュータに実行させる。
【発明の効果】
【００３７】
以上のように、本発明によれば、多接合型太陽電池の分光感度特性を測定する際に、精度よく分光感度特性の測定を行なうことができる。
【図面の簡単な説明】
【００３８】
【図１】本発明の実施の形態に従う分光感度測定装置の構成を示す模式図である。
【図２】本発明の実施の形態に従う分光感度測定装置の機能構成を示す模式図である。
【図３】本発明の実施の形態に従う分光感度測定装置の主な測定工程を示すフローチャートである。
【図４】本発明の実施の形態に従う白色バイアス光源から白色バイアス光が多接合セルに照射された際の出力電流の一例を示す図である。
【図５】発生電流整合工程後の各サブセルの発生電流が整合された状態を示す図である。
【図６】本発明の実施の形態に従うＬＥＤ光源の照度と多接合セル全体の出力電流Ｉｓｃとの関係の一例を示す図である。
【図７】発生電流整合工程における分光感度測定装置の処理手順を示すフローチャートである。
【図８】回路電流設定工程で低減される出力電流値に応じて、単色光が照射された際に出力電流の波長依存性が変化することを説明するための図である。
【図９】回路電流設定工程における分光感度測定装置の処理手順を示すフローチャートである。
【図１０】トップセルの回路電流設定工程で出力電流が設定された状態の構成の一例を示す図である。
【図１１】本測定工程で行なわれる分光感度測定装置の処理手順を示すフローチャートである。
【図１２】ミドルセルの回路電流設定工程で出力電流が設定された状態の構成の一例を示す図である。
【図１３】ボトムセルの発生電流整合工程後の各サブセルの発生電流が整合された状態を示す図である。
【図１４】ＬＥＤ光源の照度Ｌｂと多接合セル全体の出力電流Ｉｓｃとの関係の一例を示す図である。
【図１５】発生電流整合工程における分光感度測定装置の処理手順を示すフローチャートである。
【図１６】ボトムセルの回路電流設定工程で出力電流が設定された状態の構成の一例を示す図である。
【図１７】変形例におけるボトムセルの回路電流設定工程で出力電流が設定された状態の構成の一例を示す図である。
【図１８】本発明の実施の形態に従うチョッパーのＯＮ／ＯＦＦ周期の概略を示す図である。
【図１９】従来技術における一般的な太陽電池の分光感度測定装置の構成の一例を示す図である。
【図２０】白色バイアス光の有無によってシリコン太陽電池セルの分光感度が異なることを示す分光感度特性図である。
【図２１】従来技術における多接合型太陽電池の分光感度測定装置の構成の一例を示す図である。
【図２２】ＧａＩｎＰ／ＧａＡｓ／Ｇｅからなる３接合セルの典型的な分光感度特性とカラーバイアス光の波長範囲の一例を示す図である。
【発明を実施するための形態】
【００３９】
以下、図面を参照しつつ、本発明の実施の形態について説明する。以下の説明では、同一の部品には同一の符号を付してある。それらの名称および機能も同じである。したがって、それらについての同一部分については、その詳細な説明は繰り返さない。
【００４０】
［１．全体構成］
まず、本発明の実施の形態に従う分光感度測定装置の全体構成について説明する。
【００４１】
図１は、本発明の実施の形態に従う分光感度測定装置の構成を示す模式図である。
図１を参照して、分光感度測定装置１は、主として測定対象である多接合型太陽電池セル１０と、出力電流測定回路２０と、チョッパー２６と、ＬＥＤ光源３２（３２Ａ、３２Ｂ、３２Ｃ）と、白色バイアス光源３４と、単色光光源３６とを含む。
【００４２】
多接合型太陽電池セル１０（以下、多接合セル１０とも称す）は、分光感度の異なる複数のサブセルを直列接続した太陽電池であり、本発明の実施の形態に従う分光感度測定装置１の測定対象である。たとえば、ＧａＩｎＰトップセル／ＧａＡｓミドルセル／Ｇｅボトムセルからなる３接合型太陽電池セルである。以下の説明では、当該３接合型太陽電池セルを測定対象の一例として説明するが、分光感度の異なる複数のサブセルからなる多接合型太陽電池セルであればよく、これに限らない。たとえば、２接合型太陽電池セルであれば、トップセルとボトムセルとを測定対象として同様に考えればよい。
【００４３】
出力電流測定回路２０は、上述した多接合セル１０と、抵抗２２とロックインアンプ２４とを含む。所定の波長の光の照射により多接合セル１０の出力電流は、回路に抵抗２２を挿入して測定され、多接合セル１０の出力電流値は、後述するチョッパー２６からの同期信号に応答して、多接合セル１０に直列に接続された抵抗２２の両端に印加される電圧を増幅するロックインアンプ２４で測定し、当該測定された電圧に所定の変換係数を乗じて出力電流を算出する。
【００４４】
チョッパー２６は、後述する単色光光源３６から照射された単色光を所定の周期でチョッピングして通過させ単色光をパルス照射させる。チョッパー２６の周波数および位相でロックインアンプ２４により同期検波することで、多接合セル１０の分光感度特性が得られる。
【００４５】
ＬＥＤ光源３２は、ＬＥＤ光源３２Ａ、３２Ｂ、３２Ｃを含む。ＬＥＤ光源３２Ａは、トップセルの感度帯域にあり、ミドルセルおよびボトムセルの感度帯域にない波長λｔの第１のＬＥＤ光を照射する。ＬＥＤ光源３２Ｂは、ミドルセルの感度帯域にあり、トップセルおよびボトムセルの感度帯域にない波長λｍの第２のＬＥＤ光を照射する。ＬＥＤ光源３２Ｃは、ボトムセルの感度帯域にあり、トップセルおよびミドルセルの感度帯域にない波長λｂの第３のＬＥＤ光を照射する。ＬＥＤ光源３２は、各サブセルの発生電流を調整するために多接合セル１０に照射される。
【００４６】
白色バイアス光源３４は、上述したように、実際の太陽光下での動作状態における分光感度特性を精査するために、白色バイアス光を多接合セル１０に照射する。その白色バイアス光の条件は、例えばＡＭ１．５、１Ｓｕｎである。
【００４７】
単色光光源３６は、多接合セル１０の分光感度特性を測定するために、測定波長範囲内で波長を走査して、当該単色光をチョッパー２６を介して多接合セル１０にパルス状にして照射する。
【００４８】
［２．分光感度測定装置の機能構成］
次に、本発明の実施の形態に従う分光感度測定装置１の機能構成について説明する。
【００４９】
図２は、本発明の実施の形態に従う分光感度測定装置１の機能構成を示す模式図である。
【００５０】
図２を参照して、分光感度測定装置１は、その機能構成として、制御部１００と、光源制御部１０２と、データ取得部１０４と、記憶部１０６とを含む。そして、上述したように、分光感度測定装置１は、多接合セル１０と、出力電流測定回路２０と、チョッパー２６と、光源部３０とを含む。
【００５１】
制御部１００と、光源制御部１０２と、データ取得部１０４とは、図示しないＣＰＵが記憶部１０６としてのＲＯＭ（Read Only Memory）やＲＡＭ（Random Access Memory）やＨＤＤ（Hard Disk Drive）に予め格納されていたプログラムを読み出して実行することにより実現されるものである。すなわち、制御部１００と、光源制御部１０２と、データ取得部１０４とは、分光感度測定装置１のＣＰＵと記憶部１０６とによって実現される機能である。
【００５２】
ただし、制御部１００と、光源制御部１０２と、データ取得部１０４とは、専用のハードウェア回路によって実現されてもよい。
【００５３】
以下、分光感度測定装置１が有する機能ブロックの各々について詳述する。
制御部１００は、分光感度測定装置１の動作全体を制御する。
【００５４】
光源制御部１０２は、光源部３０に含まれる、ＬＥＤ光源３２と、白色バイアス光源３４と、単色光光源３６とを制御する。たとえば、後述する発生電流整合工程において発生電流を整合させるために、ＬＥＤ光源３２の照度を調整する。
【００５５】
データ取得部１０４は、ロックインアンプ２４で測定された出力電圧を取得し、分光感度特性等のデータを算出する。また、取得したデータ電流を記憶部１０６に記憶したりする。
【００５６】
記憶部１０６は、ＲＯＭ、ＲＡＭ、ＨＤＤなどの不揮発性メモリーなどによって実現される。ＲＯＭは、ＣＰＵで実行されるプログラムを予め格納し、ＲＡＭは、ＣＰＵのプログラム部分の実行に必要なデータを一時的に記憶する。ＨＤＤは、比較的大容量のデータを不揮発的に格納することができ、たとえば、データ取得部１０４で取得した出力電流の測定データなどを格納する。
【００５７】
［３．測定工程の概要］
まず、本発明の実施の形態に従う分光感度測定装置１の測定工程の概略について説明する。なお、上述したように多接合セル１０の分光感度測定は、各サブセルごとに行なわれ、それらを統合したものが多接合セル１０の分光感度特性となる。ここでは、トップセル、ミドルセル、ボトムセルの順に分光感度測定を行なうこととする。
【００５８】
分光感度測定装置１の分光感度測定における主たる工程としては、各サブセルごとに以下の３つの工程が存在する。
【００５９】
（１）発生電流整合工程
（２）回路電流設定工程
（３）本測定工程
以下、これらの各工程の概略について説明する。
【００６０】
図３は、本発明の実施の形態に従う分光感度測定装置１の主な測定工程を示すフローチャートである。
【００６１】
まず、分光感度測定装置１は、多接合セル１０の各サブセルの発生電流を略一致（以下、整合と称す）させる発生電流整合工程を行なう（ステップＳ１０）。具体的には、ＬＥＤ光源３２の照度を調整して、各サブセルの発生電流を整合する。
【００６２】
次に、本測定の際に単色光光源３６からの単色光を照射することで発生する、測定対象のサブセルのピーク電流値分（最大電流値分）だけ、ステップＳ１０で整合された測定対象のサブセルの発生電流を低減させる回路電流設定工程を行なう（ステップＳ２０）。具体的には、測定対象のサブセルの感度帯域にあるＬＥＤ光源３２の照度を低減することで、サブセルの発生電流を低減する。当該工程は、測定対象のサブセルの発生電流を多接合セル全体の出力電流として観測し、かつ測定対象のサブセルにできるだけ逆バイアス電圧が印加されないようにすることで精度の良い分光感度測定を実現するために行なわれる。
【００６３】
次に、単色光光源３６を測定波長範囲内で単色光の波長を走査しながら照射することで、測定対象の発生電流の波長依存性、すなわち分光感度特性を得る本測定工程を行なう（ステップＳ３０）。
【００６４】
以上の工程を、トップセル、ミドルセル、ボトムセルの各々について行ない、それらの分光感度特性を統合することで多接合セル１０の分光感度特性が得られる。
【００６５】
［４．各サブセルの測定工程］
次に、サブセルごとの上述した各測定工程について詳細に説明する。
【００６６】
ここで、太陽光の放射照度分布の一例として公知のＡＭ１．５スペクトルと、図２２に示す分光感度特性の一例とから、発明者らによって各サブセルごとに推定される電流発生量が見積もられた。当該電流発生量は、単位時間、単位面積当たりにサブセルに入射する所定の波長範囲の光子数に分光感度を乗じ、その総和を電流に換算することで見積もられた。当該見積もり結果によると、概ねＧａＩｎＰトップセルでの発生電流は１８（ｍＡ／ｃｍ２）であり、ＧａＡｓミドルセルでの発生電流は１９（ｍＡ／ｃｍ２）であり、Ｇｅボトムセルの発生電流は２７（ｍＡ／ｃｍ２）であった。したがって、以下では説明のため、各サブセルの発生電流の一例としてこれらの値を用いることとする。
【００６７】
図４は、本発明の実施の形態に従う白色バイアス光源から白色バイアス光が多接合セル１０に照射された際の出力電流の一例を示す図である。
【００６８】
図４を参照して、上記の３接合型太陽電池セルを短絡し、ＡＭ１．５スペクトルかつ１ｓｕｎの擬似太陽光を照射した場合、トップセル２の発生電流Ｉｔは１８（ｍＡ／ｃｍ２）、ミドルセル４の発生電流Ｉｍは１９（ｍＡ／ｃｍ２）、ボトムセル６の発生電流Ｉｂは２７（ｍＡ／ｃｍ２）であるが、上述したように多接合セル全体の出力電流Ｉｓｃは各サブセルが直列に接続されているため、各サブセルのうち最も発生電流の小さいものに依存する。すなわち、実際に回路に流れている出力電流は、トップセル２の発生電流Ｉｔと同じ１８（ｍＡ／ｃｍ２）となる。また、このときミドルセル４とボトムセル６の発生電圧がトップセル２に逆方向に印加される。
【００６９】
＜Ａ．トップセル２の分光感度特性の測定工程＞
トップセル２の分光感度特性の各測定工程について説明する。
【００７０】
（ａ１．発生電流整合工程）
まず、図４の状態から行なわれる発生電流整合工程について説明する。
【００７１】
発生電流整合工程は、上述したように、多接合セル１０の各サブセルの発生電流を整合する工程である。
【００７２】
図５は、発生電流整合工程後の各サブセルの発生電流が整合された状態を示す図である。
【００７３】
図５を参照すると、トップセル２の発生電流Ｉｔおよびミドルセル４の発生電流Ｉｍが２７（ｍＡ／ｃｍ２）となり、白色バイアス光のみ照射時（図４の状態）のボトムセル６の発生電流Ｉｂと略一致しており、かつ多接合セル全体の出力電流Ｉｓｃもこれと略一致している。この状態は、ＬＥＤ光源３２Ａから照射される波長λｔの第１のＬＥＤ光の照度（以下、ＬＥＤ光源３２Ａの照度とも称す）を増大させることによりＩｔを増大させてＩｂと略一致させ、またＬＥＤ光源３２Ｂから照射される波長λｍの第２のＬＥＤ光の照度（以下、ＬＥＤ光源３２Ｂの照度とも称す）を増大させることによりＩｍを増大させてＩｂと略一致させることにより得られる。
【００７４】
当該状態では、各サブセルの発生電流が略一致しているため、トップセル２はほぼゼロバイアス状態となっている。
【００７５】
次に、分光感度測定装置１が、各サブセルの発生電流を整合するためにＬＥＤ光源３２Ａおよび３２Ｂの照度を調整する方式について説明する。
【００７６】
図６は、本発明の実施の形態に従うＬＥＤ光源３２の照度と多接合セル全体の出力電流Ｉｓｃとの関係の一例を示す図である。
【００７７】
図６（ａ）は、ＬＥＤ光源３２Ａの照度ＬｔとＩｓｃとの関係の一例を示す図である。図６（ｂ）は、ＬＥＤ光源３２Ｂの照度ＬｍとＩｓｃとの関係の一例を示す図である。
【００７８】
図６（a）を参照して、トップセル２の感度帯域にあり、ミドルセル４およびボトムセル６の感度帯域にない波長λｔの第１のＬＥＤ光をＬＥＤ光源３２Ａで多接合セル１０に照射すると、トップセルの発生電流Ｉｔが多接合セル全体の出力電流Ｉｓｃを支配している（トップセル２が各サブセルのうち最も発生電流が小さい）ので、Ｉｔが１８（ｍＡ／ｃｍ２）から増大するため、Ｉｓｃが増大する。第１のＬＥＤ光の照度Ｌｔを増大していくと、ＬｔがＬｔ１となったときに、Ｉｓｃはミドルセル４の発生電流Ｉｍの電流値１９（ｍＡ／ｃｍ２）で飽和する。これは、Ｉｍが多接合セル全体の出力電流Ｉｓｃを支配している状態になったためであり、逆バイアス電圧はミドルセル４に印加されている。続いて、さらに所定の照度だけＬｔを増大させてＬｔ２となるところで仮設定する。このとき、Ｉｔは１９（ｍＡ／ｃｍ２）以上のＩｔ２となっている。
【００７９】
次に、図６（ｂ）を参照して、ミドルセル４の感度帯域にあり、トップセル２およびボトムセル６の感度帯域にない波長λｍの第２のＬＥＤ光をＬＥＤ光源３２Ｂで多接合セル１０に照射すると、Ｉｓｃを支配しているＩｍが１９（ｍＡ／ｃｍ２）から増大するため、Ｉｓｃが増大する。第２のＬＥＤ光の照度Ｌｍを増大していくと、ＬｍがＬｍ１となったときに、Ｉｓｃは上述した第１のＬＥＤ光の照度を増大することにより得られたトップセル２の発生電流Ｉｔ２（＝Ｉｍ１）で飽和する。これは、再びＩｔが多接合セル全体の出力電流Ｉｓｃを支配している状態になったためであり、逆バイアス電圧は再びトップセル２に印加されている。続いて、さらに所定の照度だけＬｍを増大させてＬｍ２となるところで仮設定する。このとき、ＩｍはＩｍ１（＝Ｉｔ２）以上のＩｍ２となっている。
【００８０】
次に、再び第１のＬＥＤ光の照度Ｌｔを増大させることでＩｓｃを増大させていき、Ｉｓｃが飽和したら第２のＬＥＤ光の照度Ｌｍを増大させることでＩｓｃを増大させていく、という工程を繰り返す。最終的には、Ｉｓｃがボトムセル６の発生電流Ｉｂの電流値２７（ｍＡ／ｃｍ２）と略一致するまで繰り返す。このとき、ＬＥＤ光源３２Ａの照度はＬｔｆ、ＬＥＤ光源３２Ｂの照度はＬｍｆであり、各サブセルの発生電流（Ｉｔ、ＩｍおよびＩｂ）は略一致し、各サブセルには逆バイアス電圧が印加されることなく、ほぼ理想的な短絡状態となっている（図５の状態）。ここで、上記の短絡状態を確認するために、電流整合後のＬＥＤ光源３２Ａの照度Ｌｔｆは、わずかでも照度が低減するとＩｓｃが低下するような照度であることを確認したり、同様に、ＬＥＤ光源３２Ｂの照度Ｌｍｆは、わずかでも照度が低減するとＩｓｃが低下するような照度であることを確認しても良い。
【００８１】
次に、発生電流整合工程における分光感度測定装置１の具体的な処理手順について説明する。
【００８２】
図７は、発生電流整合工程における分光感度測定装置１の処理手順を示すフローチャートである。ここで、多接合セル１０には白色バイアス光のみが照射されている状態（図４の状態）であるとする。
【００８３】
まず、光源制御部１０２は、ＬＥＤ光源３２Ａからの第１のＬＥＤ光を多接合セル１０に照射して（ステップＳ１０２）、第１のＬＥＤ光の照度を増大する（ステップＳ１０４）。
【００８４】
次に、制御部１００は、多接合セル全体の出力電流Ｉｓｃが飽和しているか否かを判断する（ステップＳ１０６）。具体的には、制御部１００は、ロックインアンプ２４を介してデータ取得部１０４が取得した出力電流Ｉｓｃが飽和しているか否かを判断する。制御部１００は、出力電流Ｉｓｃが飽和していないと判断すると（ステップＳ１０６においてＮＯの場合）、ステップＳ１０４からの処理を繰り返す。一方、制御部１００が、出力電流Ｉｓｃが飽和していると判断すると（ステップＳ１０６においてＹＥＳの場合）、光源制御部１０２は、ＬＥＤ光源３２Ａからの第１のＬＥＤ光の照度を、所定の照度だけ増大して設定する（ステップＳ１０８）。
【００８５】
次に、光源制御部１０２は、ＬＥＤ光源３２Ｂからの第２のＬＥＤ光を多接合セル１０に照射して（ステップＳ１１０）、第２のＬＥＤ光の照度を増大する（ステップＳ１１２）。
【００８６】
次に、制御部１００は、多接合セル全体の出力電流Ｉｓｃが飽和しているか否かを判断する（ステップＳ１１４）。制御部１００は、出力電流Ｉｓｃが飽和していないと判断すると（ステップＳ１１４においてＮＯの場合）、ステップＳ１１２からの処理を繰り返す。一方、制御部１００が、出力電流Ｉｓｃが飽和していると判断すると（ステップＳ１１４においてＹＥＳの場合）、光源制御部１０２は、ＬＥＤ光源３２Ｂからの第２のＬＥＤ光の照度を、所定の照度だけ増大して設定する（ステップＳ１１６）。
【００８７】
次に、制御部１００は、多接合セル全体の出力電流Ｉｓｃがボトムセル６の発生電流Ｉｂと略一致しているか否かを判断する（ステップＳ１１８）。具体的には、制御部１００は、予め記憶部１０６に記憶されているボトムセル６の推定発生電流値と略一致しているか否かによって判断する。なお。どの程度一致していれば、「略一致」していると判断するかはユーザが任意に定めることができる。制御部１００は、ＩｓｃがＩｂと略一致していると判断すると（ステップＳ１１８においてＹＥＳの場合）、処理を終了する。一方、制御部１００は、ＩｓｃがＩｂと略一致していないと判断すると（ステップＳ１１８においてＮＯの場合）、ステップＳ１０２からの処理を繰り返す。
【００８８】
（ａ２．回路電流設定工程）
次に、発生電流整合工程の次に行なわれる回路電流設定工程について説明する。
【００８９】
回路電流設定工程とは、上述したように、単色光光源３６からの単色光が照射されることで発生する、トップセル２のピーク電流値分（最大電流値分）だけ、トップセル２の発生電流を低減させる工程である。すなわち、トップセル２の発生電流Ｉｔがセル全体の出力電流Ｉｓｃを支配しているため、上記のピーク電流値分だけ出力電流Ｉｓｃを低減させる工程である。また、当該工程は、本測定工程において、トップセル２に逆バイアス電圧ができるだけ印加されていない状態にしてトップセル２の分光感度測定を行なうための準備工程として位置づけられる。なお、測定対象となるトップセル２の感度帯域に対応するＬＥＤ光源３２Ａからの第１のＬＥＤ光の照度を低減することで、回路に流れる出力電流（トップセル２の発生電流）を低減させる。
【００９０】
図８は、回路電流設定工程で低減される出力電流値に応じて、単色光が照射された際に出力電流の波長依存性が変化することを説明するための図である。
【００９１】
図８（ａ）は、低減された出力電流値が所望よりも小さい場合の出力電流の波長依存性を示す図である。図８（ｂ）は、低減された出力電流値が所望の場合の出力電流の波長依存性を示す図である。図８（ｃ）は、低減された出力電流値が所望よりも大きい場合の出力電流の波長依存性を示す図である。
【００９２】
発生電流整合状態からＬＥＤ光源３２Ａからの第１のＬＥＤ光の照度を低減することで、出力電流Ｉｓｃは２７（ｍＡ／ｃｍ２）からａ（ｍＡ／ｃｍ２）だけ低減させた状態にして、単色光光源３６からの単色光が照射されると、トップセル２の分光感度に応じて出力電流Ｉｓｃが増大するため、図８のようなａの値に応じた３つのパターンの出力電流Ｉｓｃに対する波長依存性が得られる。このとき、図８（ａ）のように、ａが所望の値（トップセル２のピーク電流値）よりも小さいａ１である場合には、他のサブセルの発生電流との関係からＩｓｃは最大でも２７（ｍＡ／ｃｍ２）で飽和してしまう。したがって、このときのＩｓｃの波長依存性では、トップセル２の発生電流Ｉｔの波長依存性を確認することができない。すなわち、Ｉｓｃの変化はＩｔの変化を正確に観測できる状態にはなく、精度の良いトップセル２の分光感度特性を得ることはできない。一方、図８（ｂ）のように、ａが所望の値ａ２である場合には、Ｉｓｃは２７（ｍＡ／ｃｍ２）でピーク電流値（最大電流値）に達する。したがって、このときのＩｓｃの波長依存性を観測すれば、トップセル２の発生電流Ｉｔの波長依存性を観測することができる。すなわち、精度の良いトップセル２の分光感度特性が得られる。なお、図８（ｃ）のように、ａが所望の値よりも大きいａ３である場合には、Ｉｓｃは２７（ｍＡ／ｃｍ２）よりも小さい値でピーク電流値に達する。このときのＩｓｃの波長依存性を確認することでも、トップセル２の発生電流Ｉｔの波長依存性を確認することはできるが、ミドルセル４およびボトムセル６からの逆バイアス電圧の影響が大きくなるため、図８（ｂ）の状態の方がより精度の良いトップセル２の分光感度特性が得られることになる。以上から、ａが所望の値ａ２となるように、ＬＥＤ光源３２Ａからの第１のＬＥＤ光の照度を低減する必要がある。
【００９３】
上記では出力電流のピークが単数の場合について説明したが、複数ある場合は最も電流値の大きいピークに基づいてＬＥＤ光源３２Ａの照度を低減させる。
【００９４】
なお、一般的に、単色光光源３６から照射される単色光の照度は数（μＷ／ｃｍ２）〜２００（μＷ／ｃｍ２）程度であり、ａは当該単色光の照度が大きいほど設定は容易となる。ただし、当該単色光の照度が大きすぎると、ピーク波長ではない波長での逆バイアス電圧の影響が大きくなったり、セルが局部的に温度上昇したりすることが誤差要因となる可能性がある。一方、小さすぎると信号のＳＮ比が悪くなる可能性があるため、測定環境に応じて適当に選定する必要がある。
【００９５】
また、上述したピーク電流値（最大電流値）は個々のセルで異なるが、セルの材料や構造、大きさが決定すると概ね同様である。したがって、上記の材料などが同様である複数のセルについて測定を行なう場合であれば、最初に測定するセルで回路電流設定工程を行なえば、それ以降のセルの測定では、たとえば、単色光光源３６による単色光の波長をすべて走査せずに、所定の範囲のみ走査してピーク電流値のみを確認し、設定してもよい。なお、精度的には２７（ｍＡ／ｃｍ２）に設定することが望ましいが、上述した図８（ｃ）の状態であれば、トップセル２の発生電流Ｉｔの波長依存性を確認することはできるため、測定対象であるセルや使用装置の性能に応じた許容範囲を決めておけば、必ずしも図８（ｂ）の状態にする必要はない。
【００９６】
次に、回路電流設定工程における分光感度測定装置１の具体的な処理手順の一例について説明する。
【００９７】
図９は、回路電流設定工程における分光感度測定装置１の処理手順を示すフローチャートである。ここで、多接合セル１０は、発生電流整合状態（図５の状態）であるとする。
【００９８】
光源制御部１０２は、トップセル２の発生電流が２７（ｍＡ／ｃｍ２）から、予め決定された所定の電流値だけ低減するように、ＬＥＤ光源３２Ａからの第１のＬＥＤ光の照度を低減する（ステップＳ２０２）。所定の電流値は、ピーク電流値よりも小さいものとする。
【００９９】
次に、光源制御部１０２が、単色光光源３６の単色光を所定の波長範囲で走査して照射することで、データ取得部１０４は、当該波長範囲でのトップセル２の最大電流値を取得する（ステップＳ２０４）。
【０１００】
次に、制御部１００は、データ取得部１０４で取得した最大電流値が飽和しているか否かを判断する（ステップＳ２０６）。制御部１００が、最大電流値が飽和している（ピーク電流値が存在しない）と判断すると（ステップＳ２０６においてＹＥＳの場合）、ステップＳ２０２からの処理を繰り返す。一方、制御部１００が、最大電流値が飽和していない（ピーク電流値が存在する）と判断すると（ステップＳ２０６においてＮＯの場合）、光源制御部１０２は当該状態のＬＥＤ光源３２Ａの照度を、本測定におけるＬＥＤ光源３２Ａの照度として設定し（ステップＳ２０８）、処理を終了する。
【０１０１】
上記では、照度を調整しながらピーク電流値を取得してＬＥＤ光源３２Ａの照度を調整する処理手順について説明したが、予め実測によってピーク電流値の値を求めており、それに対応するＬＥＤ光源３２Ａの照度も記憶部１０６などに記憶して既知である場合には、制御部１００が、記憶部１０６に記憶された対応するＬＥＤ光源３２Ａの照度を読み出し、それに基づいて光源制御部１０２が照度を設定しても良い。
【０１０２】
（ａ３．本測定工程）
次に、回路電流設定工程の次に行なわれる本測定工程について説明する。
【０１０３】
本測定工程とは、上述したように、単色光光源３６を測定波長範囲内で単色光の波長を走査しながら照射することで、測定対象のサブセルの発生電流の波長依存性、すなわち分光感度特性を得る工程である。
【０１０４】
図１０は、トップセル２の回路電流設定工程で出力電流が設定された状態の構成の一例を示す図である。
【０１０５】
図１０を参照して、この状態では、回路電流設定工程によりトップセル２の発生電流Ｉｔがａだけ低減されているため、トップセル２の発生電流Ｉｔは２７−ａ（ｍＡ／ｃｍ２）となっている。また、トップセル２の発生電流Ｉｔが多接合セル全体の出力電流Ｉｓｃを支配しているため、Ｉｓｃも２７−ａ（ｍＡ／ｃｍ２）となっている。すなわち、当該状態は、トップセル２の発生電流Ｉｔをセル全体の出力電流Ｉｓｃとして観測でき、かつトップセル２にはミドルセル４およびボトムセル６からの逆バイアス電圧がほぼ印加されていない状態（ほぼゼロバイアスな状態）となっている。
【０１０６】
図１１は、本測定工程で行なわれる分光感度測定装置１の処理手順を示すフローチャートである。このとき、図１０の状態であるとする。
【０１０７】
まず、光源制御部１０２は、単色光光源３６を測定波長範囲内で単色光の波長を走査しながら照射する（ステップＳ３０２）。次に、データ取得部１０４は、ロックインアンプ２４を介して得られた各波長に対応する出力電流を取得し（ステップＳ３０４）、処理を終了する。すなわち、トップセル２の所望の分光感度特性が精度良く取得することが可能となる。
【０１０８】
＜Ｂ．ミドルセル４の分光感度特性の測定工程＞
次に、ミドルセル４の分光感度測定の各工程について説明する。
【０１０９】
（ｂ１．発生電流整合工程）
ミドルセル４測定時の発生電流整合工程は、トップセル２の発生電流整合工程と同様であるため、その詳細な説明は繰り返さない。すなわち、図５の状態にする。
【０１１０】
（ｂ２．回路電流設定工程）
ミドルセル４測定時の回路電流設定工程は、トップセル２の回路電流設定工程と基本的に同様であるため、その詳細な説明は繰り返さない。
【０１１１】
すなわち、分光感度測定装置１は、所定の照度だけＬＥＤ光源３２Ｂからの第２のＬＥＤ光の照度を低減する．次に、光源制御部１０２が単色光光源３６の単色光を所定の波長範囲で走査して照射し、当該波長範囲でのミドルセル４の最大電流値を取得する。次に、分光感度測定装置１は、当該最大電流値が飽和していると判断した場合、さらに所定の照度だけ第２のＬＥＤ光の照度を低減する。一方、分光感度測定装置１は、当該最大電流値が飽和していない(ピーク電流値が存在する)と判断した場合、当該状態のＬＥＤ光源３２Ｂの照度を、本測定におけるＬＥＤ光源３２Ｂの照度として設定し、処理を終了する。このとき、出力電流Ｉｓｃは２７（ｍＡ／ｃｍ２）から、ミドルセル４のピーク電流値（所望の値）ｂ（ｍＡ／ｃｍ２）だけ低減させた状態となる。
【０１１２】
（ｂ３．本測定工程）
ミドルセル４測定時の本測定工程は、トップセル２の本測定工程と同様であるため、その詳細な説明は繰り返さない。
【０１１３】
図１２は、ミドルセル４の回路電流設定工程で出力電流が設定された状態の構成の一例を示す図である。すなわち、回路電流設定工程によりミドルセル４の発生電流Ｉｍがｂだけ低減されているため、ミドルセル４の発生電流Ｉｍは２７−ｂ（ｍＡ／ｃｍ２）となっている。また、ミドルセル４の発生電流Ｉｍが多接合セル全体の出力電流Ｉｓｃを支配しているため、Ｉｓｃも２７−ｂ（ｍＡ／ｃｍ２）となっている。このような状態でトップセル２と同様の本測定工程を行なう。
【０１１４】
＜Ｃ．ボトムセル６の分光感度特性の測定工程＞
次に、ボトムセル６の分光感度測定の各工程について説明する。
【０１１５】
（ｃ１．発生電流整合工程）
ボトムセル６測定時の発生電流整合工程について説明する。各サブセルのうち、ボトムセル６の発生電流が最も高いことから、ボトムセル６の発生電流整合工程はトップセル２とミドルセル４の発生電流整合工程とは異なる。すなわち、トップセル２およびミドルセル４の発生電流整合工程の場合には、最も発生電流の高いボトムセル６の発生電流に残余のサブセル（トップセル２およびミドルセル４）の発生電流を整合させたが、ボトムセル６の発生電流整合工程の場合には、ボトムセル６の発生電流よりも大きい電流値に整合させる点が異なる。これは、本測定において単色光を照射したときに、ボトムセル６の発生電流の変化が多接合セル全体の出力電流の変化として観測できるようにするためである。ここでは、たとえば、白色バイアス光の照射時のボトムセル６の発生電流値２７（ｍＡ／ｃｍ２）以上である２８（ｍＡ／ｃｍ２）に整合するとする。ただし、当該値は回路設定工程で取得される単色光照射時のボトムセル６のピーク電流値よりも大きいものとする。
【０１１６】
図１３は、ボトムセル６の発生電流整合工程後の各サブセルの発生電流が整合された状態を示す図である。
【０１１７】
図１３を参照すると、トップセル２の発生電流Ｉｔ、ミドルセル４の発生電流Ｉｍおよびボトムセル６の発生電流Ｉｂが２８（ｍＡ／ｃｍ２）となり略一致しており、かつセル全体の出力電流Ｉｓｃもこれと略一致している。これは、ＬＥＤ光源３２Ａから照射される波長λｔの第１のＬＥＤ光の照度Ｌｔを増大させることによりＩｔを増大させて２８（ｍＡ／ｃｍ２）と略一致させ、またＬＥＤ光源３２Ｂから照射される波長λｍの第２のＬＥＤ光の照度Ｌｍを増大させることによりＩｍを増大させて２８（ｍＡ／ｃｍ２）と略一致させ、またＬＥＤ光源３２Ｃから照射される波長λｂの第３のＬＥＤ光の照度Ｌｂを増大させることによりＩｂを増大させて２８（ｍＡ／ｃｍ２）と略一致させることにより得られる。この状態においては、各サブセルの発生電流が整合しているため、各サブセルともにほぼゼロバイアス状態となっている。
【０１１８】
次に、分光感度測定装置１が、各サブセルの発生電流を整合するためにＬＥＤ光源３２Ａ、３２Ｂおよび３２Ｃの照度を調整する方式について説明する。
【０１１９】
図１４は、ＬＥＤ光源３２Ｃの照度Ｌｂと多接合セル全体の出力電流Ｉｓｃとの関係の一例を示す図である。なお、図１４では、ＬｔおよびＬｍが所定の値まで増大されており、ＩｔおよびＩｍが２８（ｍＡ／ｃｍ２）と略一致している状態であるとする。このとき、ＬｂがＬｂｆとなるまで増大すると、Ｉｓｃが２８（ｍＡ／ｃｍ２）まで増大する。
【０１２０】
次に、発生電流整合工程における分光感度測定装置１の具体的な処理手順の一例について説明する。
【０１２１】
図１５は、発生電流整合工程における分光感度測定装置１の処理手順を示すフローチャートである。ここで、多接合セル１０は、トップセル２またはミドルセル４の発生電流整合工程における発生電流整合が行なわれた状態（図５の状態）であるとする。
【０１２２】
まず、光源制御部１０２は、ＬＥＤ光源３２Ａからの第１のＬＥＤ光およびＬＥＤ光源３２Ｂからの第２のＬＥＤ光の照度をそれぞれ所定の照度だけ増大する（ステップＳ１５２）。
【０１２３】
次に、光源制御部１０２は、ＬＥＤ光源３２Ｃからの第３のＬＥＤ光を多接合セル１０に照射して（ステップＳ１５４）、第３のＬＥＤ光の照度を増大する（ステップＳ１５６）。
【０１２４】
次に、制御部１００は、データ取得部１０４によって取得された多接合セル全体の出力電流Ｉｓｃが飽和しているか否かを判断する（ステップＳ１５８）。制御部１００は、Ｉｓｃが飽和していないと判断すると（ステップＳ１５８においてＮＯの場合）、ステップＳ１５６からの処理を繰り返す。一方、制御部１００は、Ｉｓｃが飽和していると判断すると（ステップＳ１５８においてＹＥＳの場合）、Ｉｓｃが所定の値（２８ ｍＡ／ｃｍ２）と略一致するか否かを判断する（ステップＳ１６０）。制御部１００は、Ｉｓｃがその所定の値と略一致しないと判断すると（ステップＳ１６０においてＮＯの場合）、ステップＳ１５２の処理から繰り返す。一方、制御部１００は、Ｉｓｃがその所定の値と略一致すると判断すると（ステップＳ１６０においてＹＥＳの場合）、処理を終了する。
【０１２５】
このとき、各サブセルの発生電流（Ｉｔ、ＩｍおよびＩｂ）は略一致し、各サブセルには逆バイアス電圧が印加されることなく、ほぼ理想的な短絡状態となっている。ここで、上記の短絡状態を確認するために、発生電流整合後のＬＥＤ光源３２Ａの照度Ｌｔｆ、ＬＥＤ光源３２Ｂの照度Ｌｍｆ、ＬＥＤ光源３２ＣのＬｂｆの各々が、わずかでも照度が低減するとＩｓｃが低下するような照度であることを確認しても良い。
【０１２６】
（ｃ２．回路電流設定工程）
ボトムセル６の回路電流設定工程は、トップセル２の回路電流設定工程と基本的に同様であるため、その詳細な説明は繰り返さない。
【０１２７】
すなわち、分光感度測定装置１は、所定の照度だけＬＥＤ光源３２Ｃからの第３のＬＥＤ光の照度を低減する。次に光源制御部１０２が単色光光源３６の単色光を所定の波長範囲で走査して照射し、当該波長範囲でのボトムセル６の最大電流値を取得する。次に、分光感度測定装置１は、当該最大電流値が飽和していると判断した場合、さらに第３のＬＥＤ光の照度を低減して同様の処理を繰り返す。一方、分光感度測定装置１は、当該最大電流値が飽和していない(ピークが存在する)と判断した場合、当該状態のＬＥＤ光源３２Ｃの照度を、本測定におけるＬＥＤ光源３２Ｃの照度として設定し、処理を終了する。このとき、出力電流Ｉｓｃは２８（ｍＡ／ｃｍ２）から、ボトムセル６のピーク電流値（所望の値）ｃ（ｍＡ／ｃｍ２）だけ低減させた状態となる。
【０１２８】
（ｃ３．本測定工程）
ボトムセル６の本測定工程は、トップセル２の本測定工程と同様であるため、その詳細な説明は繰り返さない。
【０１２９】
図１６は、ボトムセル６の回路電流設定工程で出力電流が設定された状態の構成の一例を示す図である。すなわち、回路電流設定工程によりボトムセル６の発生電流Ｉｂがｃだけ低減されているため、ボトムセル６の発生電流Ｉｂは２８−ｃ（ｍＡ／ｃｍ２）となっている。また、ボトムセル６の発生電流Ｉｂが多接合セル全体の出力電流Ｉｓｃを支配しているため、Ｉｓｃも２８−ｃ（ｍＡ／ｃｍ２）となっている。このような状態でトップセル２と同様の本測定工程を行なう。
【０１３０】
（ｃ４．変形例）
上記では、トップセル２およびミドルセル４に対して設けられたＬＥＤ光源３２Ａおよび３２Ｂに加え、ＬＥＤ光源３２Ｃを設けてボトムセル６の各工程を行なう例について説明した。しかし、本測定工程においてボトムセル６が単色光光源３６からの単色光を照射された際に増加する発生電流の最大値α（ピーク電流値）が予め推定できる場合には、ＬＥＤ光源３２Ａおよび３２Ｂのみで各工程を行なうこともできる。
【０１３１】
変形例におけるボトムセル６の発生電流整合工程は、トップセル２の発生電流整合工程と同様であるため、その詳細な説明は繰り返さない。すなわち、図５の状態とする。
【０１３２】
変形例におけるボトムセル６の回路電流設定工程では、トップセル２およびミドルセル４の発生電流整合工程における発生電流整合状態（図５の状態）で、ＬｔおよびＬｍの照度を大きくして、トップセル２およびミドルセル４の発生電流を、単色光が照射された際のボトムセル６の最大電流値である２７＋α（ｍＡ／ｃｍ２）以上の発生電流とする。ここで、トップセル２およびミドルセル４の発生電流は、互いに略一致しており、かつ単色光が照射された際のボトムセル６の発生電流の最大電流値２７＋α（ｍＡ／ｃｍ２）と略一致していることが望ましいが、２７＋α（ｍＡ／ｃｍ２）以上であれば２７＋β（ｍＡ／ｃｍ２）と２７＋γ（ｍＡ／ｃｍ２）のように異なっていてもよい。
【０１３３】
図１７は、変形例におけるボトムセルの回路電流設定工程で出力電流が設定された状態の構成の一例を示す図である。
【０１３４】
図１７を参照して、この状態は、各サブセルのうちボトムセル６の発生電流が最も小さく（多接合セル全体の出力電流を支配している）、かつボトムセル６に逆バイアス電圧ができるだけ印加されていない状態が達成されている。
【０１３５】
なお、変形例におけるボトムセルの本測定工程は、トップセル２の本測定工程と同様であるため、その詳細な説明は繰り返さない。
【０１３６】
以上から、ボトムセル６の分光感度特性を精度良く測定できるとともに、ＬＥＤ光源３２Ｃを新たに設ける必要がないため、コスト的なメリットが生じる。
【０１３７】
［５．その他］
上記で説明した、白色バイアス光の照度は、いわゆる高注入状態とみなすことができる一定の照度であり、１ｓｕｎ付近（０．５〜１．５ｓｕｎさらには０．８〜１．２ｓｕｎ）であることが望ましい。また、集光条件下の場合は、１０ｓｕｎ付近（９．５〜１０．５ｓｕｎさらには９．８〜１０．２ｓｕｎ）であることが望ましい。
【０１３８】
また、ＬＥＤ光源３２Ａ、３２Ｂおよび３２ＣからのそれぞれのＬＥＤ光の波長λｔ、λｍ、λｂは、測定対象外のサブセルの感度帯域にない波長が望ましいが、サブセルの特性に応じて、測定対象外の感度帯域にある波長の場合でも影響が極めて小さいと判断される場合は、当該波長を選択してもよい。ここで、ＧａＩｎＰ／ＧａＡｓ／Ｇｅ３接合太陽電池セルの場合は、λｔは３００〜５００ｎｍ、λｍは６６０〜８２０ｎｍ、λｂは９００〜１８００ｎｍの範囲で選ぶことが望ましい。さらには、λｔは３００〜４００ｎｍ、λｍは６８０〜７４０ｎｍ、λｂは９２０〜１０００ｎｍの範囲であることが望ましい。
【０１３９】
さらに、白色バイアス光源からの白色バイアス光およびＬＥＤ光源からのＬＥＤ光は、多接合セル１０の全面に照射されるのが望ましいが、ＬＥＤ光については単色光光源３６からの単色光が照射される範囲であれば部分的な照射であってもよい。この理由として、測定対象外のサブセルを動作状態にする場合は、基本的に多接合太陽電池セル面積内であればどこで少数キャリアを励起してもよいが、測定対象のサブセルでは少なくとも測定範囲における電流整合の精度を高めておくことが望ましいためである。
【０１４０】
さらには、測定対象のサブセルの逆方向特性が悪く、漏れ電流が大きいこと、測定対象のサブセルに印加される逆バイアス電圧が大きいことなどに起因して信号の同期が安定して取れない場合がある。このような場合には、信号の重み付けをするために、単色光光源３６からの単色光を所定の周期でチョッピングして通過させるチョッパーのＯＮ／ＯＦＦの区間を調整してもよい。
【０１４１】
図１８は、本発明の実施の形態に従うチョッパーのＯＮ／ＯＦＦ周期の概略を示す図である。
【０１４２】
図１８を参照して、一般的にはチョッパー２６は単色光の通過区間（ＯＮ区間）と非通過区間（ＯＦＦ区間）とを半周期ごとに対称にチョッピングする。しかし、上述したように信号の同期が安定して取れない場合もある。このような場合には、信号の重み付けをするために、図１８（ｂ）のように、一周期におけるＯＮ区間（通過区間）幅とＯＦＦ区間（非通過区間）幅とを非対称にしたり、図１８（ｃ）のように半周期ごとに、ＯＮ／ＯＦＦが短い周期で繰り返した後ＯＦＦ区間が続くようにチョッピングして制御してもよい。このように試料の状態や、測定環境（電源の周波数、ノイズ等）に応じてチョッパー２６はＯＮ／ＯＦＦ区間を制御する。
【０１４３】
さらに、測定対象のサブセルの逆方向特性が著しく悪い場合は、補助的に前述の電気バイアスを追加してもよい。
【０１４４】
（実測結果）
発明者らによって、λｔ：４７０ｎｍ、λｍ：６６０ｎｍ、λｂ：９４０ｎｍのＬＥＤ光源３２、単色光照度：１００μＷ／ｃｍ２の単色光光源３６およびスポット面積１ｃｍ２で、測定を行った場合、トップセル２測定時の図１０の状態におけるピーク電流値ａの値は約３５μＡ、ミドルセル４測定時の図１２の状態におけるピーク電流値ｂの値は約６０μＡ、ボトムセル測定時の図１６の状態におけるピーク電流値ｃの値は約６８μＡであった。この条件によって、測定した結果、図２２に示した分光感度特性と近似する分光感度特性が得られている。
【０１４５】
（その他の形態）
なお、コンピュータを機能させて、上述のフローで説明したような制御を実行させるプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１４６】
なお、プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１４７】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１４８】
［６．利点］
本実施の形態によれば、以下のような利点が得られる。すなわち、各サブセルに１ｓｕｎ以上の照度の光が照射されるので、太陽光下の状態に近い条件下での分光感度測定を実施することができる。また、各サブセルを極めて短絡に近い状態に設定できるため、逆バイアス電圧の影響を小さくすることができ、精度の良い分光感度測定が可能となる。
【０１４９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１５０】
１  分光感度測定装置、２  トップセル、４  ミドルセル、６  ボトムセル、１０  多接合型太陽電池セル、２０  出力電流測定回路、２２  抵抗、２４  ロックインアンプ、２６  チョッパー、３０  光源部、３２  ＬＥＤ光源、３４  白色バイアス光源、３６  単色光光源、１００  制御部、１０２  光源制御部、１０４  データ取得部、１０６  記憶部。
【図１】
2013089632.tif 000003
【図２】
2013089632.tif 000004
【図３】
2013089632.tif 000005
【図４】
2013089632.tif 000006
【図５】
2013089632.tif 000007
【図６】
2013089632.tif 000008
【図７】
2013089632.tif 000009
【図８】
2013089632.tif 000010
【図９】
2013089632.tif 000011
【図１０】
2013089632.tif 000012
【図１１】
2013089632.tif 000013
【図１２】
2013089632.tif 000014
【図１３】
2013089632.tif 000015
【図１４】
2013089632.tif 000016
【図１５】
2013089632.tif 000017
【図１６】
2013089632.tif 000018
【図１７】
2013089632.tif 000019
【図１８】
2013089632.tif 000020
【図１９】
2013089632.tif 000021
【図２０】
2013089632.tif 000022
【図２１】
2013089632.tif 000023
【図２２】
2013089632.tif 000024